(57)【要約】【課題】ユーザーが望まないのにユーザー設定がリセットされた場合に、ユーザーが再設定しなくても、リセットされたユーザー設定を復活できるようにする。【解決手段】画像形成装置１が操作されない状態が一定時間経過すると、各機能の設定を初期設定に戻すオートリセット部１０４と、オートリセット部１０４によりリセットされる、ユーザーにより初期設定から変更されたユーザー設定を、当該ユーザーに対応付けてユーザー設定記憶部１１３に保存する保存部１０５と、表示部４７３に表示される画面が、ユーザー設定記憶部１１３に保存されている上記ユーザー設定がされた受付画面に遷移したときに、操作受付部１０１にユーザー設定を反映させる反映部１０６と、を備える。【選択図】図１
2020131669.tif 000002
【特許請求の範囲】
【請求項１】
表示部と、
ユーザーからの操作入力を受け付ける操作受付部と、
前記表示部による画面表示動作を制御し、前記操作受付部に受け付けられているユーザー設定に従って本画像形成装置の各機能を実行する制御部と、
ユーザー識別情報に基づいて、ログイン処理を行うログイン処理部と、
前記操作受付部が受け付けたユーザー操作に基づいて、本画像形成装置で実行可能な機能についてのユーザー設定を受け付ける受付画面を前記表示部に表示させる表示制御部と、
本画像形成装置が操作されない状態が予め定められた時間経過すると、前記受付画面において前記操作受付部が受け付けた、ユーザーにより初期設定から変更されたユーザー設定を初期設定に戻すオートリセットを行うオートリセット部と、
前記ユーザー設定を記憶するユーザー設定記憶部と、
前記オートリセット部によりオートリセットされるユーザー設定を、ログインしているユーザーに対応付けて前記ユーザー設定記憶部に保存する保存部と、
前記オートリセット部によりオートリセットが行われ、前記ログインしているユーザーの前記ユーザー設定が前記保存部により前記ユーザー設定記憶部に保存された後、当該ユーザーがログインしている状態で、前記制御部が、前記表示部の表示画面を、前記ユーザー設定記憶部に保存されている前記ユーザー設定がされた前記受付画面に遷移させたとき、前記ユーザー設定記憶部に保存されている当該ログインしているユーザーの前記ユーザー設定を前記操作受付部に反映させる反映部と、を備える画像形成装置。
【請求項２】
前記反映部は、前記ユーザー設定を前記操作受付部に反映させた後は、反映させた前記ユーザー設定を前記ユーザー設定記憶部から削除する請求項１に記載の画像形成装置。
【請求項３】
前記制御部は、前記ユーザー設定記憶部に保存されている、前記ログインしているユーザーの前記ユーザー設定が前記反映部により前記操作受付部に反映されたときに前記受付画面を表示させるときは、当該受付画面に前記ユーザー設定を反映させて前記表示部に表示させる請求項１又は請求項２に記載の画像形成装置。
【請求項４】
前記ログイン処理部は、前記オートリセット部が前記オートリセットを行ったときに、本画像形成装置をログアウトする請求項１乃至請求項３のいずれかに記載の画像形成装置。
【発明の詳細な説明】
【技術分野】
【０００１】
本発明は、画像形成装置に関し、特に、オートリセット機能を有する画像形成装置に関する。
【背景技術】
【０００２】
複合機等の画像形成装置には、操作が行われないまま一定時間が経過すると、ユーザーにより初期設定から変更されたユーザー設定を自動的にリセットする機能（いわゆる、オートリセット機能）を有するものがある。
【先行技術文献】
【特許文献】
【０００３】
【特許文献１】特開２００３−３０５９２８号公報
【発明の概要】
【発明が解決しようとする課題】
【０００４】
画像形成装置の機能について設定する内容は人によって様々なので、ユーザーが設定した内容についてそのリセット操作を忘れられると、次に使用する別のユーザーにとっては意図しない設定での動作、例えば集約コピーが実施されたり、両面コピーが実施されたりするなどして、無駄が発生することになる。そのため、複数人で共同使用されることが多い画像形成装置の場合には、オートリセット機能は便利な機能である。
【０００５】
しかしながら、作業の途中で、何らかの理由でユーザーが装置から離れ、戻ってきたら、リセットが掛かっていたり、用紙を給紙カセットに補給している間にリセットが掛かったりするなどし、ユーザーが望まないのにユーザーが設定した内容がリセットされてしまうことがある。そのような場合には、ユーザーはもう一度、設定をやり直さなければならず、手間である。
【０００６】
上記の特許文献１に、エラーが発生したジョブを装置内部に保存しておき、ユーザーが好きな時に、エラーで中断したジョブをエラー発生ページから再開させること（すなわち、ユーザーが望まないのにジョブが中断された場合の対処法）が記載されているが、ユーザーが望まないのにユーザー設定がリセットされた場合についての記載はない。
【０００７】
本発明は、上記の事情に鑑みなされたものであり、ユーザーが望まないのにユーザー設定がリセットされた場合に、ユーザーが再設定をしなくても、リセットされたユーザー設定を復活できるようにすることを目的とする。
【課題を解決するための手段】
【０００８】
本発明の一局面に係る画像形成装置は、表示部と、ユーザーからの操作入力を受け付ける操作受付部と、前記表示部による画面表示動作を制御し、前記操作受付部に受け付けられているユーザー設定に従って本画像形成装置の各機能を実行する制御部と、ユーザー識別情報に基づいて、ログイン処理を行うログイン処理部と、前記操作受付部が受け付けたユーザー操作に基づいて、本画像形成装置で実行可能な機能についてのユーザー設定を受け付ける受付画面を前記表示部に表示させる表示制御部と、本画像形成装置が操作されない状態が予め定められた時間経過すると、前記受付画面において前記操作受付部が受け付けた、ユーザーにより初期設定から変更されたユーザー設定を初期設定に戻すオートリセットを行うオートリセット部と、前記ユーザー設定を記憶するユーザー設定記憶部と、前記オートリセット部によりオートリセットされるユーザー設定を、ログインしているユーザーに対応付けて前記ユーザー設定記憶部に保存する保存部と、前記オートリセット部によりオートリセットが行われ、前記ログインしているユーザーの前記ユーザー設定が前記保存部により前記ユーザー設定記憶部に保存された後、当該ユーザーがログインしている状態で、前記制御部が、前記表示部の表示画面を、前記ユーザー設定記憶部に保存されている前記ユーザー設定がされた前記受付画面に遷移させたとき、前記ユーザー設定記憶部に保存されている当該ログインしているユーザーの前記ユーザー設定を前記操作受付部に反映させる反映部と、を備える。
【発明の効果】
【０００９】
本発明によれば、操作されない状態が予め定められた時間（例えば、６０秒）経過すると、ユーザー設定はオートリセットされるが、オートリセットされるユーザー設定はユーザーに対応付けて保存される。例えば、「ページ集約」機能について、ユーザーにより初期設定（ページ集約しない）から「２in１」に変更された状態で、オートリセットが行われると、「ページ集約」機能の「２in１」がユーザー設定として、ユーザーに対応付けて保存される。
【００１０】
その後、表示部に表示される画面が、ログインしているユーザーが上記ユーザー設定をした受付画面に遷移すると、操作受付部にオートリセット前のユーザー設定が反映される。例えば、ログインしているユーザーに対応付けて保存されているユーザー設定が、「ページ集約」機能の「２in１」であるときに、表示部に表示される画面が、「ページ集約」機能の受付画面に遷移すると、ユーザー設定「２in１」が操作受付部に反映される。
【００１１】
従って、ユーザーが望まないのにユーザーがリセットされた場合に、ユーザーが再設定しなくても、オートリセットされたユーザー設定を復活させることができる。よって、再設定という無駄を省くことができる。
【図面の簡単な説明】
【００１２】
【図１】本発明の一実施形態に係る画像形成装置の主要内部構成を概略的に示した機能ブロック図である。
【図２】ユーザー設定記憶部に記憶されるデータ構成の一例を示した図である。
【図３】表示部に表示される受付画面の一例を示した図である。
【図４】表示部に表示される受付画面の一例を示した図である。
【図５】本実施形態に係る画像形成装置におけるオートリセット時の処理の一例を示したフローチャートである。
【図６】本実施形態に係る画像形成装置におけるユーザー設定を復帰させる処理の一例を示したフローチャートである。
【発明を実施するための形態】
【００１３】
以下、本発明の一実施形態に係る画像形成装置について図面を参照して説明する。図１は、本発明の第１実施形態に係る画像形成装置の主要内部構成を概略的に示した機能ブロック図である。
【００１４】
第１実施形態に係る画像形成装置は、例えば、コピー機能、プリンター機能、スキャナー機能、及びファクシミリ機能のような複数の機能を兼ね備える複合機である。画像形成装置１は、制御ユニット１０、原稿給送部６、原稿読取部５、画像形成部１２、ＨＤＤ（Hard Disk Drive）１１１、定着部１３、給紙部１４、及び操作部４７を備える。
【００１５】
画像形成装置１で原稿読取動作が行われる場合について説明する。原稿給送部６により搬送されてきた原稿、又は図略のコンタクトガラスに載置されている原稿の画像を、原稿読取部５が光学的に読み取り、そして画像データを生成する。原稿読取部５により生成された画像データは、図略の画像メモリー等に保存される。
【００１６】
画像形成装置１で画像形成動作が行われる場合について説明する。原稿読取動作により生成された画像データや、ネットワーク接続されたパソコン等の外部装置（図示せず）から受信した画像データ等に基づいて、画像形成部１２が、給紙部１４から給紙される記録媒体としての記録紙にトナー像を形成する。
【００１７】
ＨＤＤ１１１は、大容量の記憶装置であり、ログイン情報記憶部１１２と、ユーザー設定記憶部１１３とを含む。ログイン情報記憶部１１２は、当該画像形成装置１にログインするために必要なユーザー識別情報であるログインＩＤ及びパスワード等のログイン情報を記憶する。ユーザー設定記憶部１１３は、当該画像形成装置１で実行可能な機能について、ユーザーにより初期設定から変更されたユーザー設定を、当該ユーザーのユーザー識別情報に対応付けて記憶する。例えば、初期設定とは、操作受付部１０１が上記各機能について記憶しているデフォルトの設定内容をいう。
【００１８】
図２は、ユーザー設定記憶部１１３に記憶されるデータ構成の一例を示した図である。図２に示すように、ユーザー設定記憶部１１３は、ユーザー識別情報に対応付けて、ユーザー設定を記憶し、ユーザー設定は「機能」と「設定内容」とか構成されている。例えば、ユーザー識別情報「Ａ００１」に対応付けて、「機能」として「ページ集約」が、「設定内容」として「２in１」が記憶され、ユーザー識別情報「Ａ００２」に対応付けて、「機能」として「縮小／拡大」が、「設定内容」として「８６％」が記憶されている。また、ユーザー識別情報「Ａ００３」については、ユーザー設定は記憶されていない。
【００１９】
定着部１３は、画像形成部１２によりトナー像が形成された記録紙を加熱及び加圧して、トナー像を記録紙に定着させるものであり、定着処理が施された記録紙は図略の排出トレイに排出される。給紙部１４は、給紙カセットを備える。
【００２０】
操作部４７は、画像形成装置１が実行可能な各種動作及び処理について、操作者から、画像形成動作実行指示等の指示を受け付ける。操作部４７は、操作者への操作案内等を表示する表示部４７３を備えている。
【００２１】
表示部４７３はタッチパネル機能を有しており、操作者は画面表示されるボタンやキーに触れて画像形成装置１を操作することができる。
【００２２】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、操作受付部１０１と、ログイン処理部１０２と、オートリセット部１０４と、保存部１０５と、反映部１０６と、を備えている。
【００２３】
制御ユニット１０は、ＨＤＤ１１１に記憶されている制御プログラムに従った上記プロセッサーによる動作により、制御部１００、操作受付部１０１、ログイン処理部１０２、オートリセット部１０４、保存部１０５、及び反映部１０６として機能するものである。但し、制御部１００等は、制御ユニット１０による制御プログラムに従った動作によらず、それぞれハードウェア回路により構成することも可能である。以下、特に触れない限り、各実施形態について同様である。
【００２４】
制御部１００は、画像形成装置１の全体的な動作制御を司る。制御部１００は、原稿給送部６、原稿読取部５、画像形成部１２、ＨＤＤ１１１、定着部１３、給紙部１４、及び操作部４７と接続され、これら各部の駆動制御等を行う。
【００２５】
操作受付部１０１は、操作部４７を介したユーザーからの操作入力を受け付ける。操作受付部１０１は、操作部４７が備えるハードキーに対するユーザー操作を受け付け、更には、表示部４７３に表示されている操作画面に対するユーザー操作を、表示部４７３が有するタッチパネル機能により受け付ける。
【００２６】
ログイン処理部１０２は、操作部４７に対するユーザー操作により入力されたログイン情報を操作受付部１０１が受け付けたときに、入力されたログイン情報が、ログイン情報記憶部１１２に記憶されているか否かを判断し、当該ログイン情報が記憶されていると判断したときに、画像形成装置１に対する当該ユーザーのログインを許可する。
【００２７】
また、ログイン処理部１０２は、画像形成装置１に対するログアウトを行う。例えば、ログイン処理部１０２は、操作部４７に対するユーザー操作によりログアウトのユーザー指示を操作受付部１０１が受け付けたときに、画像形成装置１をログアウトする。
【００２８】
制御部１００は、操作受付部１０１が受け付けたユーザー操作に基づいて、画像形成装置１で実行可能な機能についての各設定の受付画面を表示部４７３に表示させる。図３は、表示部４７３に表示される受付画面の一例を示した図である。図３に示すように、タイトル名が「ページ集約」である受付画面Ｄ１には、設定可能な機能として「集約しない」、「２in１」、「４in１  ヨコ順」等と記された選択ボタンＢ１乃至Ｂ６と、「詳細設定」と記された選択ボタンＢ７と、「ＯＫ」と記された選択ボタンＢ８と、「ＮＧ」と記された選択ボタンＢ９とが表示されている。また、ここでは、初期設定として登録されている「集約しない」と記された選択ボタンＢ１が選択されている状態を示している。
【００２９】
表示部４７３に表示されている受付画面Ｄ１において、操作受付部１０１が「２in１」と記された選択ボタンＢ２に対するユーザー操作（すなわち、「ページ集約」の設定を「２in１」に変更するユーザー設定）を受け付けると、制御部１００は、図４に示すように、「２in１」と記された選択ボタンＢ２が選択されている状態となるように受付画面Ｄ１の表示を変更する。
【００３０】
操作受付部１０１は、表示部４７３に表示されている上記受付画面Ｄ１に対するユーザー操作で入力された各設定を、タッチパネル機能を介して受け付ける。すなわち、操作受付部１０１は、受付画面Ｄ１においてユーザーから受け付けた各種の設定をユーザー設定として記憶する。制御部１００は、操作受付部１０１に受け付けられているユーザー設定に従って、画像形成装置１の各機能を実行する。
【００３１】
オートリセット部１０４は、画像形成装置１が操作されない状態が予め定められた時間（例えば、６０秒）経過すると各機能の設定を初期設定に戻すオートリセットを実行する。
【００３２】
保存部１０５は、オートリセット部１０４のオートリセットによりリセットされる、上記受付画面において操作受付部１０１が受け付けた、ユーザーにより初期設定から変更されたユーザー設定（例えば、「ページ集約」の「２in１」）を、当該ユーザーに対応付けてユーザー設定記憶部１１３に保存する。
【００３３】
反映部１０６は、表示部４７３に表示される画面が、ユーザー設定記憶部１１３に保存されているユーザー設定がされた受付画面に遷移すると、操作受付部１０１にユーザー設定を反映させる。詳細には、反映部１０６は、オートリセット部１０４によりオートリセットが行われて保存部１０５により、この時点でログインしているユーザーのユーザー設定がユーザー設定記憶部１１３に保存された後、当該ユーザーがログインしている状態で、制御部１００が、表示部４７３の表示画面を、ユーザー設定記憶部１１３に保存されている当該ユーザー設定がされた受付画面に遷移させたときに、ユーザー設定記憶部１１３に保存されている、当該ログインしているユーザーの上記ユーザー設定を操作受付部１０１に記憶させることにより反映させる。
【００３４】
次に、本実施形態に係る画像形成装置１におけるオートリセット時の処理の一例について、図５に示したフローチャートに基づいて説明する。なお、この処理は、ユーザーが画像形成装置１にログインした直後から実行される処理である。
【００３５】
あるユーザーについてログイン処理部１０２が画像形成装置１へのログインを許可すると、オートリセット部１０４は、制御ユニット１０に内蔵されるタイマーＴを０にリセットして、画像形成装置１が操作されない状態（操作受付部１０１にユーザーからの操作入力が受け付けられていない状況が続いている状態）となっている時間の計測を開始し（Ｓ１）、タイマーＴが予め定められた時間Ｔ１（例えば、６０秒）以上になったか否かを判断する（Ｓ２）。
【００３６】
オートリセット部１０４は、タイマーＴが時間Ｔ１以上になっていないと判断した場合（Ｓ２でＮＯ）、操作受付部１０１にユーザーからの操作入力が受け付けられたか否かを判断する（Ｓ３）。ここで、オートリセット部１０４は、操作受付部１０１にユーザーからの操作入力が受け付けられたと判断した場合（Ｓ３でＹＥＳ）、タイマーＴを０にリセットする（Ｓ４）。処理はＳ２へ戻る。
【００３７】
一方、オートリセット部１０４は、画像形成装置１の操作が行われていないと判断した場合（Ｓ３でＮＯ）、タイマーＴを０にリセットせず、処理はＳ２へ戻る。
【００３８】
Ｓ２において、オートリセット部１０４が、タイマーＴが時間Ｔ１以上になったと判断した場合（Ｓ２でＹＥＳ）、保存部１０５は、ユーザーにより初期設定から変更されたユーザー設定が存在するか否かを判断する（Ｓ５）。すなわち、保存部１０５は、操作受付部１０１に初期設定とは異なるユーザー設定がこの時点で受け付けられているか否かを判断する。
【００３９】
保存部１０５は、上記初期設定とは異なるユーザー設定が存在すると判断した場合（Ｓ５でＹＥＳ）、当該ユーザー設定を、この時点でログインしているユーザーのユーザー識別情報に対応付けて、ユーザー設定記憶部１１３に保存する（Ｓ６）。この保存後、オートリセット部１０４は、操作受付部１０１に受け付けられている、初期設定とは異なる各機能の設定をオートリセットによりリセットして初期設定に戻す（Ｓ７）。ログイン処理部１０２は、画像形成装置１のログアウトを行う（Ｓ８）。この御、処理は終了する。
【００４０】
一方、保存部１０５は、上記初期設定とは異なるユーザー設定が存在しないと判断した場合（Ｓ５でＮＯ）、Ｓ６で示したユーザー設定の保存を行わず、オートリセット部１０４が、操作受付部１０１に受け付けられている各機能の設定をリセットして初期設定に戻す（Ｓ７）。そして、ログイン処理部１０２が、画像形成装置１のログアウトを行う（Ｓ８）。この後、処理は終了する。なお、Ｓ５でＮＯの場合、Ｓ７の処理を行わず、ログイン処理部１０２が、画像形成装置１のログアウトを行うようにしてもよい（Ｓ８）。
【００４１】
次に、本実施形態に係る画像形成装置１におけるユーザー設定を復帰させる処理の一例について、図６に示したフローチャートに基づいて説明する。なお、この処理は、ユーザーが画像形成装置１にログインした直後から実行される処理である。
【００４２】
あるユーザーについてログイン処理部１０２が画像形成装置１へのログインを許可すると、反映部１０６は、ログインしている当該ユーザーのユーザー識別情報に基づいて、当該ユーザーについてのユーザー設定がユーザー設定記憶部１１３に保存されているか否かを判断する（Ｓ１１）。
【００４３】
反映部１０６は、当該ユーザーについてのユーザー設定がユーザー設定記憶部１１３に保存されていると判断した場合（Ｓ１１でＹＥＳ）、制御部１００が表示部４７３の表示画面を、ユーザー設定記憶部１１３に保存されている上記ユーザー設定がされた受付画面に遷移させたか否かを判断する（Ｓ１２）。
【００４４】
反映部１０６は、表示部４７３に表示される画面が、上記ユーザー設定がされた受付画面に遷移したと判断した場合（Ｓ１２でＹＥＳ）、ユーザー設定記憶部１１３に保存されている当該ユーザーについてのユーザー設定を読み出し、当該ユーザー設定を操作受付部１０１に記憶させて反映させる（Ｓ１３）。その後、反映部１０６は、当該反映させたユーザー設定をユーザー設定記憶部１１３から削除する（Ｓ１４）。この後、処理は終了する。
【００４５】
このとき、制御部１００は、例えば、ユーザー識別情報が「Ａ００１」であるユーザーがログインしている場合に、表示部４７３に表示される画面を「ページ集約」の受付画面に遷移させるとき、初期設定が操作受付部１０１に記憶されていることを示す受付画面（例えば、図３に示した受付画面Ｄ１）ではなく、ユーザー設定記憶部１１３に保存されている上記ユーザー設定が操作受付部１０１に記憶されていることを反映させた受付画面（例えば、図４に示した受付画面Ｄ１）を表示部４７３に表示させる。そして、反映部１０６は、ユーザー設定記憶部１１３から、ユーザー識別情報が「Ａ００１」であるユーザーについてのユーザー設定を削除する。
【００４６】
一方、反映部１０６は、表示部４７３に表示される画面が、上記ユーザー設定がされた受付画面に遷移していないと判断している場合は（Ｓ１２でＮＯ）、Ｓ１２の処理を繰り返す。
【００４７】
なお、Ｓ１１において、反映部１０６が、上記ユーザーについてのユーザー設定がユーザー設定記憶部１１３に保存されていないと判断した場合は（Ｓ１１でＮＯ）、処理が終了する。
【００４８】
上記実施形態によれば、ユーザーにより画像形成装置１が操作されない状態が予め定められた時間Ｔ１経過すると、この時点で設定されているユーザー設定はリセットされ、画像形成装置１もログアウトされるが、リセットされるユーザー設定はユーザーに対応付けてユーザー設定記憶部１１３に保存される。
【００４９】
その後、表示部４７３に表示される画面が、ユーザー設定記憶部１１３に保存されている上記ユーザー設定がされた受付画面に遷移すると、操作受付部１０１に当該ユーザー設定が記憶され、この受付画面は、操作受付部１０１に記憶されている当該ユーザー設定が反映された表示となる。
【００５０】
従って、ユーザーが望まないのにユーザー設定がリセットされた場合には、ユーザーが再度同じ内容を設定しなくても、リセットされたユーザー設定を復活させることができる。よって、同じ内容を再度設定する無駄を省くことができる。
【００５１】
また、一度復活させたユーザー設定については、ユーザー設定記憶部１１３から削除される。すなわち、役割を終えたユーザー設定は削除されるので、復活の必要が無いのに、過去のユーザー設定がユーザー設定記憶部１１３に記憶され続けて、操作受付部１０１に反映され続けることを回避できる。
【００５２】
なお、上記第１実施形態では、画像形成装置１が操作されないまま予め定められた時間Ｔ１経過すると、オートリセットが実行され、オートリセットが実行されると画像形成装置１をログアウトさせる場合について説明しているが、オートリセットされた時からログアウトさせるまでにログイン処理部１０２が時間差を設けてもよい。例えば、オートリセットされた時点から予め定められた時間Ｔ２が経過した時に、ログイン処理部１０２が画像形成装置１をログアウトするようにしてもよい。
【００５３】
但し、その場合、時間差の間に、別のユーザーが画像形成装置１を使用すると、先のユーザーのユーザー設定が反映されてしまうことがある。そのため、上記実施形態で説明したように、オートリセットが行われた時点で画像形成装置１をログアウトすることが望ましい。
【００５４】
本発明は上記実施の形態の構成に限られず種々の変形が可能である。また、上記実施形態では、本発明に係る画像形成装置の一実施形態として複合機を用いて説明しているが、これは一例に過ぎず、スキャナー機能やプリント機能、ファクシミリ機能等を有した他の画像形成装置でもよい。
【００５５】
また、上記実施形態では、図１乃至図６を用いて上記実施形態により示した構成及び処理は、本発明の一実施形態に過ぎず、本発明を当該構成及び処理に限定する趣旨ではない。
【符号の説明】
【００５６】
１        画像形成装置
１００    制御部
１０１    操作受付部
１０２    ログイン処理部
１０４    オートリセット部
１０５    保存部
１０６    反映部
１１３    ユーザー設定記憶部
４７３    表示部
【図１】
2020131669.tif 000003
【図２】
2020131669.tif 000004
【図３】
2020131669.tif 000005
【図４】
2020131669.tif 000006
【図５】
2020131669.tif 000007
【図６】
2020131669.tif 000008